(57)【要約】【課題】通信用の電波を遮蔽するのに最適な電波遮蔽用壁紙の提供。【解決手段】電波遮蔽用壁紙１は、通信用の電波を遮蔽する導電性素材５を積層した基材をシート状に形成した壁紙本体１０を有する。壁紙本体１０の全域に均一に導電性素材５を配設する。携帯電話機３の使用が規制若しくは禁止されている部屋２０のある建造物２において、壁紙本体１０を導電性素材５と共に建造物２の部屋２０の室内２１の空間を囲む壁２２，天井２３，床２４の各内壁面に貼り付ける。導電性素材５が建造物２の部屋２０の室内２１にある携帯電話機３と建造物２の部屋２０の室外にある基地局４との間での通信用の電波を完全に遮蔽する。【選択図】　　　　図１
2004011367.tif 000002
【特許請求の範囲】
【請求項１】
建造物の部屋の室内の空間を囲む壁，天井，床の各内壁面に貼り付けられると共に、通信用の電波を遮蔽する電波遮蔽用壁紙であって、
通信のための電波を遮蔽する導電性素材を積層した基材をシート状に形成した壁紙本体を有し、壁紙本体の全域に均一に導電性素材を配設したことを特徴とする電波遮蔽用壁紙。
【請求項２】
導電性素材は、銅ネット，アルミニウムネット等の金属ネット、銅箔，アルミニウム箔等の極薄の金属箔、銅粉，アルミニウム粉等の微粒子の金属粉である請求項１に記載の電波遮蔽用壁紙。
【請求項３】
導電性素材は、１枚の壁紙本体の一面の全域に重合されている請求項１または２に記載の電波遮蔽用壁紙。
【請求項４】
導電性素材は、２枚の壁紙本体の間の全域に挟み込まれて重合されている請求項１または２に記載の電波遮蔽用壁紙。
【請求項５】
導電性素材は、１枚の壁紙本体の一面の全域に結合剤と共に均一に吹き付けられてコーティングされている請求項１または２に記載の電波遮蔽用壁紙。
【請求項６】
壁紙本体は、導電性素材に接続されたアース用端子を有している請求項１乃至５に記載の電波遮蔽用壁紙。
【発明の詳細な説明】
【０００１】
【発明の属する技術分野】
本発明は、建造物の部屋室内の空間を囲む壁，天井，床等の内壁面に貼り付けられる壁紙に関し、特に、建造物の外部からの電波を遮蔽（シールド）するに最適な電波遮蔽用壁紙に関するものである。
【０００２】
【従来の技術】
近年の日本国内においては、無線で携帯しながら通信するための携帯電話，ＰＨＳ（Ｐｅｒｓｏｎａｌ　Ｈａｎｄｙｐｈｏｎｅ　Ｓｙｓｔｅｍ）等の携帯電話機が社会に広く普及してきており、低年令から高年令までの広範囲の年令層の人が手軽に使える携帯電話機を所持している。
【０００３】
従来、携帯電話機を利用して電波による通信を行うに際し、電磁ノイズ等の電磁波が携帯電話機から発生することが知られており、例えば、補聴器、心臓のペースメーカー、その他の各種医療用電気機器、自動ドア、火災報知器、高精度な制御や微弱な信号を取り扱う各種電子機器等が携帯電話機の周辺にある場合に、携帯電話機から発生する電磁ノイズ等の電磁波が各種医療用電気機器や各種電子機器に悪影響を及ぼし、補聴器、心臓のペースメーカー、その他の各種医療用電気機器、自動ドア、火災報知器、高精度な制御や微弱な信号を取り扱う各種電子機器等が携帯電話機から発生する電磁波により誤動作を起こすおそれがあることが社会的な問題となっている。
【０００４】
特に、大勢の人々が利用して混雑する電車，新幹線，飛行機等の乗物、病院等の医療施設、映画館，劇場，コンサートホール，美術館等の公共施設、或いは料亭，会席茶屋，レストラン等の高級料理店においては、携帯電話機の着信音が鳴ったり、或いは携帯電話機を使用して通話を行ったりすると、携帯電話機の周辺にいる乗客，患者，観客，顧客等の多数の人に不快感を与えてトラブルの原因となった。
そこで、携帯電話機の周辺にいる多数の人に迷惑がかからないように、不測の事態以外での携帯電話機の使用が規制若しくは禁止されている。
【０００５】
さらに、携帯電話機の着信音が鳴らないようにするために、携帯電話機所持者が、あらかじめ携帯電話機の電源を切ったり、或いは携帯電話機をバイブレータ着信とするマナーモードに設定したりする必要があった。
【０００６】
【発明が解決しようとする課題】
ところが、現状では、携帯電話機の使用が規制若しくは禁止されている場所であるにも係わらず、携帯電話機の電源を切らなかったり、或いは携帯電話機をマナーモードに設定しない携帯電話機所持者も比較的多くおり、携帯電話機所持者のマナーの悪さも問題になっている。
【０００７】
本発明の目的は、上述する問題点に対処して、携帯電話機の使用が規制若しくは禁止されている部屋のある建造物において、壁紙本体の全域に均一に配設した導電性素材を建造物の部屋の室内の空間を囲む壁，天井，床の各内壁面に貼り付け、壁紙本体を導電性素材と共に建造物の部屋の室内の空間を囲む壁，天井，床の各内壁面に対して貼着し、通信用の電波を遮蔽し、建造物の部屋を電波シールドルームとすることにより、外部からの電波が入ってこない部屋を構成し、部屋の室内では携帯電話機の着信音が鳴らず、従来のようにあらかじめ携帯電話機の電源を切ったり、或いは携帯電話機をマナーモードに設定したりする手間を省くことが可能な電波遮蔽用壁紙を提供することにある。
【０００８】
【課題を解決するための手段】
本発明の電波遮蔽用壁紙は、建造物の部屋の室内の空間を囲む壁，天井，床の各内壁面に貼り付けられると共に、通信用の電波を遮蔽する電波遮蔽用壁紙であって、通信のための電波を遮蔽する導電性素材を積層した基材をシート状に形成した壁紙本体を有し、壁紙本体の全域に均一に導電性素材を配設したことを特徴とする構成を有するものである。
【０００９】
本発明の電波遮蔽用壁紙は、導電性素材が、銅ネット，アルミニウムネット等の金属ネット、銅箔，アルミニウム箔等の極薄の金属箔、銅粉，アルミニウム粉等の微粒子の金属粉である。
【００１０】
本発明の電波遮蔽用壁紙は、導電性素材が、１枚の壁紙本体の一面の全域に重合されている。
【００１１】
本発明の電波遮蔽用壁紙は、導電性素材が、２枚の壁紙本体の間の全域に挟み込まれて重合されている。
【００１２】
本発明の電波遮蔽用壁紙は、導電性素材が、１枚の壁紙本体の一面の全域に結合剤と共に均一に吹き付けられてコーティングされている。
【００１３】
本発明の電波遮蔽用壁紙は、壁紙本体が、導電性素材に接続されたアース用端子を有している。
【００１４】
【発明の実施の形態】
以下、本発明の実施の形態を図面に基づいて詳細に説明する。
図１は本発明の第１の実施の形態に係わる電波遮蔽用壁紙の構成を示す説明図であり、（ａ）は電波遮蔽用壁紙の斜視図、（ｂ）は電波遮蔽用壁紙の側面図、（ｃ）は電波遮蔽用壁紙の分解斜視図である。
本発明の電波遮蔽用壁紙１は、建造物２の部屋２０の室内２１の空間を囲んでいる壁２２の内壁面２２ａ，天井２３の内壁面２３ａ，床２４の内壁面２４ａにそれぞれ貼り付けられると共に、建造物２の部屋２０の室内２１にある携帯電話機３と建造物２の部屋２０の室外にある基地局４との間での通信用の電波を遮蔽するためのものである。（図２参照）
【００１５】
本発明の電波遮蔽用壁紙１は、図１（ａ），（ｂ）に示すように、通信のための電波を遮蔽する導電性素材５を積層した基材をシート状に形成した壁紙本体１０を有しており、壁紙本体１０の全域には、図１（ｃ）に示すように、均一に導電性素材５が配設されている。
【００１６】
本発明の電波遮蔽用壁紙１は、導電性素材５が、銅ネット，アルミニウムネット等の金属ネット、銅箔，アルミニウム箔等の極薄の金属箔、銅粉，アルミニウム粉等の微粒子の金属粉である。
【００１７】
本発明の電波遮蔽用壁紙１は、図１（ａ），（ｂ）に示すように、導電性素材５が、１枚の壁紙本体１０の一面である裏側面１０ａの全域に重合されている。
【００１８】
本発明の電波遮蔽用壁紙１は、図１（ａ），（ｃ）に示すように、壁紙本体１０が、導電性素材５に接続されたアース用端子６を有している。
【００１９】
電波遮蔽用壁紙１の壁紙本体１０は、和紙，洋紙，合成紙等の紙、織物，編物，不織布等の布、プラスチックシート，ビニルシート等の合成樹脂シート、或いはプラスチックフィルム，ビニルフィルム等の合成樹脂フィルムからなる。
【００２０】
電波遮蔽用壁紙１の１枚の壁紙本体１０の裏側には、図１（ａ），（ｃ）に示すように、銅ネット，アルミニウムネット等の金属ネットからなる強度のある導電性素材５が配置され、電波遮蔽用壁紙１の壁紙本体１０の裏側面１０ａには、図１（ｂ）に示すように、全域に導電性素材５の内側面５ａが接着剤により貼着されている。
【００２１】
電波遮蔽用壁紙１の壁紙本体１０の一側縁１０ｂと下縁１０ｃとのコーナー部１０ｄには、図１（ａ），（ｃ）に示すように、アース用端子６が付設され、アース用端子６は銅ネット，アルミニウムネット等の金属ネットからなる導電性素材５に接続されている。
【００２２】
次に、本発明の第１の実施の形態に係わる電波遮蔽用壁紙の使用方法を説明する。
図２は本発明の第１の実施の形態に係わる電波遮蔽用壁紙の建造物の部屋の室内を囲む壁，天井，床の各内壁面への貼り付け状態を示す説明図である。
建造物２は、図２に示すように、電波シールドルームとなる部屋２０の室内２１の空間の四方を囲む垂直な複数の壁２２と、部屋２０の室内２１の空間の上部を囲む水平な天井２３と、部屋２０の室内２１の空間の底部を囲む天井２３に対向する水平な床２４とを有し、建造物２の部屋２０の壁２２には開口した出入口２５が形成され、建造物２の部屋２０の壁２２の出入口２５にはドア２６が開閉自在に配設されている。
【００２３】
電波遮蔽用壁紙１の１枚の壁紙本体１０の裏側面１０ａに貼着した導電性素材５の外側面５ｂには粘着剤が塗布されている。
【００２４】
建造物２の部屋２０の室内２１の空間の四方を囲む垂直な複数の壁２２の内壁面２２ａには、図２に示すように、電波遮蔽用壁紙１の導電性素材５の外側面５ｂが粘着剤により貼り付けられ、電波遮蔽用壁紙１の１枚の壁紙本体１０と導電性素材５が建造物２の部屋２０の室内２１に臨んでいる壁２２の内壁面２２ａに対して貼着されている。
【００２５】
また、建造物２の部屋２０の室内２１の空間の上部を囲む水平な天井２３の下面である内壁面２３ａには、図２に示すように、電波遮蔽用壁紙１の導電性素材５の外側面５ｂが粘着剤により貼り付けられ、電波遮蔽用壁紙１の１枚の壁紙本体１０と導電性素材５が建造物２の部屋２０の室内２１に臨んでいる天井２３の内壁面２３ａに対して貼着されている。
【００２６】
さらに、建造物２の部屋２０の室内２１の空間の底部を囲む水平な床２４の上面である内壁面２４ａには、図２に示すように、電波遮蔽用壁紙１の導電性素材５の外側面５ｂが粘着剤により貼り付けられ、電波遮蔽用壁紙１の１枚の壁紙本体１０と導電性素材５が建造物２の部屋２０の室内２１に臨んでいる床２４の内壁面２４ａに対して貼着されている。
【００２７】
電波遮蔽用壁紙１の壁紙本体１０に付設したアース用端子６は、図２に示すように、アース導線６０を介して大地６１にアース接地されている。
【００２８】
また、建造物２の部屋２０の壁２２の出入口２５に配設されたドア２６の室内２１に臨む内側面にも、通信用の電波を遮蔽するための電波遮蔽用壁紙１が貼り付けられている。
【００２９】
次に、本発明の第１の実施の形態に係わる電波遮蔽用壁紙の作用について説明する。
携帯電話機３を所持した携帯電話機所持者３０は、図２に示すように、建造物２の部屋２０の室外に出ると、通常の携帯電話機３を使用した電波による通信を行うことが可能である。
【００３０】
また、携帯電話機３を所持した携帯電話機所持者３０は、まず、建造物２の部屋２０の壁２２の出入口２５に配設したドア２６を開け、建造物２の部屋２０の壁２２の出入口２５から室内２１へと入った後、ドア２６を閉める。
そして、電波遮蔽用壁紙１の銅ネット，アルミニウムネット等の金属ネットからなる導電性素材５が、建造物２の部屋２０の室内２１にある携帯電話機３と建造物２の部屋２０の室外にある基地局４との間での通信用の電波を遮蔽するので、携帯電話機３を使用した電波による通信が行えない。その結果、携帯電話機３の着信音が鳴らないので、あらかじめ携帯電話機３の電源を切ったり、或いは携帯電話機３をマナーモードに設定したりする必要もなく、携帯電話機３の周辺にいる人に迷惑をかけることもない。
【００３１】
さらに、図２に示すように、電波遮蔽用壁紙１の銅ネット，アルミニウムネット等の金属ネットからなる導電性素材５がアース用端子６，アース導線６０を介して大地６１に接続されるので、電波遮蔽用壁紙１の導電性素材５と大地６１とを同電位に保ち、建造物２の部屋２０の室内２１を囲む壁２２，天井２３，床２４から入射した電波は電波遮蔽用壁紙１の導電性素材５からアース用端子６，アース導線６０を通って大地６１へと流れ、電波が建造物２の部屋２０の室内２１にある携帯電話機３に侵入するのを確実に防止することができる。
【００３２】
図３は本発明の第２の実施の形態に係わる電波遮蔽用壁紙の構成を示す説明図であり、（ａ）は電波遮蔽用壁紙の斜視図、（ｂ）は電波遮蔽用壁紙の側面図、（ｃ）は電波遮蔽用壁紙の分解斜視図である。
本発明の電波遮蔽用壁紙１は、図３（ａ），（ｂ）に示すように、導電性素材５が、２枚の壁紙本体１０，１０の間の全域に挟み込まれて重合されている。
【００３３】
本発明の電波遮蔽用壁紙１は、図３（ａ），（ｃ）に示すように、内側に位置する壁紙本体１０が、導電性素材５に接続されたアース用端子６を有している。
【００３４】
電波遮蔽用壁紙１の内側に位置する１枚の壁紙本体１０の裏側と外側に位置する１枚の壁紙本体１０の表側との間には、図３（ａ），（ｃ）に示すように、銅箔，アルミニウム箔等の極薄の金属箔からなる強度の弱い導電性素材５が配置され、電波遮蔽用壁紙１の内側に位置する壁紙本体１０の裏側面１０ａには、図３（ｂ）に示すように、全域に導電性素材５の内側面５ａが接着剤により貼着され、電波遮蔽用壁紙１の外側に位置する壁紙本体１０の表側面１０ｅには全域に導電性素材５の外側面５ｂが接着剤により貼着されている。
【００３５】
電波遮蔽用壁紙１の内側に位置する壁紙本体１０の一側縁１０ｂと下縁１０ｃとのコーナー部１０ｄには、図３（ａ），（ｃ）に示すように、アース用端子６が付設され、アース用端子６は銅箔，アルミニウム箔等の極薄の金属箔からなる導電性素材５に接続されている。
【００３６】
次に、本発明の第２の実施の形態に係わる電波遮蔽用壁紙の使用方法を説明する。
図４は本発明の第２の実施の形態に係わる電波遮蔽用壁紙の建造物の部屋の室内を囲む壁，天井，床の各内壁面への貼り付け状態を示す説明図である。
電波遮蔽用壁紙１の外側に位置する壁紙本体１０の裏側面１０ａには粘着剤が塗布されている。
【００３７】
建造物２の部屋２０の室内２１の空間の四方を囲む垂直な複数の壁２２の内壁面２２ａには、図４に示すように、電波遮蔽用壁紙１の外側に位置する壁紙本体１０の裏側面１０ａが粘着剤により貼り付けられ、電波遮蔽用壁紙１の２枚の壁紙本体１０，１０と導電性素材５が建造物２の部屋２０の室内２１に臨んでいる壁２２の内壁面２２ａに対して貼着されている。
【００３８】
また、建造物２の部屋２０の室内２１の空間の上部を囲む水平な天井２３の下面である内壁面２３ａには、図４に示すように、電波遮蔽用壁紙１の外側に位置する壁紙本体１０の裏側面１０ａが粘着剤により貼り付けられ、電波遮蔽用壁紙１の２枚の壁紙本体１０，１０と導電性素材５が建造物２の部屋２０の室内２１に臨んでいる天井２３の内壁面２３ａに対して貼着されている。
【００３９】
さらに、建造物２の部屋２０の室内２１の空間の底部を囲む水平な床２４の上面である内壁面２４ａには、図４に示すように、電波遮蔽用壁紙１の外側に位置する壁紙本体１０の裏側面１０ａが粘着剤により貼り付けられ、電波遮蔽用壁紙１の２枚の壁紙本体１０，１０と導電性素材５が建造物２の部屋２０の室内２１に臨んでいる床２４の内壁面２４ａに対して貼着されている。
【００４０】
電波遮蔽用壁紙１の内側に位置する壁紙本体１０に付設したアース用端子６は、図４に示すように、アース導線６０を介して大地６１にアース接地されている。
【００４１】
次に、本発明の第２の実施の形態に係わる電波遮蔽用壁紙の作用について説明する。
携帯電話機３を所持した携帯電話機所持者３０は、図４に示すように、建造物２の部屋２０の室外に出ると、通常の携帯電話機３を使用した電波による通信を行うことが可能である。
【００４２】
また、携帯電話機３を所持した携帯電話機所持者３０は、まず、建造物２の部屋２０の壁２２の出入口２５に配設したドア２６を開け、建造物２の部屋２０の壁２２の出入口２５から室内２１へと入り、ドア２６を閉める。
そして、電波遮蔽用壁紙１の銅箔，アルミニウム箔等の極薄の金属箔からなる導電性素材５が建造物２の部屋２０の室内２１にある携帯電話機３と建造物２の部屋２０の室外にある基地局４との間での通信用の電波を遮蔽するので、携帯電話機３を使用した電波による通信が行えない状態となり、携帯電話機３の着信音が鳴らないので、あらかじめ携帯電話機３の電源を切ったり、或いは携帯電話機３をマナーモードに設定したりする必要もなく、携帯電話機３の周辺にいる人に迷惑をかけることもない。
【００４３】
さらに、図４に示すように、電波遮蔽用壁紙１の銅箔，アルミニウム箔等の極薄の金属箔からなる導電性素材５がアース用端子６，アース導線６０を介して大地６１に接続されるので、電波遮蔽用壁紙１の導電性素材５と大地６１とを同電位に保ち、建造物２の部屋２０の室内２１を囲む壁２２，天井２３，床２４から入射した電波は電波遮蔽用壁紙１の導電性素材５からアース用端子６，アース導線６０を通って大地６１へと流れ、電波が建造物２の部屋２０の室内２１にある携帯電話機３に侵入するのを確実に防止することができる。
【００４４】
図５は本発明の第３の実施の形態に係わる電波遮蔽用壁紙の構成を示す説明図であり、（ａ）は電波遮蔽用壁紙の斜視図、（ｂ）は電波遮蔽用壁紙の側面図、（ｃ）は電波遮蔽用壁紙の後方斜視図である。
本発明の電波遮蔽用壁紙１は、図５（ａ），（ｂ），（ｃ）に示すように、導電性素材５が、１枚の壁紙本体１０の一面である裏側面１０ａの全域に結合剤と共に均一に吹き付けられてコーティングされている。
【００４５】
本発明の電波遮蔽用壁紙１は、図５（ａ）に示すように、壁紙本体１０が、結合剤に混合した銅粉，アルミニウム粉等の微粒子の金属粉からなる導電性素材５に接続されたアース用端子６を有している。
【００４６】
電波遮蔽用壁紙１の１枚の壁紙本体１０の裏側面１０ａには、図５（ａ），（ｂ），（ｃ）に示すように、銅粉，アルミニウム粉等の微粒子の金属粉からなる導電性素材５を結合剤と共にスプレーガン等により吹き付けられて積層した電波を遮蔽する電波シールド層５０が形成されている。
【００４７】
電波遮蔽用壁紙１の壁紙本体１０の一側縁１０ｂと下縁１０ｃとのコーナー部１０ｄには、図５（ａ）に示すように、アース用端子６が付設され、アース用端子６は結合剤に混合した銅粉，アルミニウム粉等の微粒子の金属粉からなる導電性素材５に接続されている。
【００４８】
次に、本発明の第３の実施の形態に係わる電波遮蔽用壁紙の使用方法を説明する。
図６は本発明の第３の実施の形態に係わる電波遮蔽用壁紙の建造物の部屋の室内を囲む壁，天井，床の各内壁面への貼り付け状態を示す説明図である。
電波遮蔽用壁紙１の１枚の壁紙本体１０の裏側面１０ａに積層した電波シールド層５０の表面５０ａには粘着剤が塗布されている。
【００４９】
建造物２の部屋２０の室内２１の空間の四方を囲む垂直な複数の壁２２の内壁面２２ａには、図６に示すように、電波遮蔽用壁紙１の壁紙本体１０の裏側面１０ａに積層した電波シールド層５０の表面５０ａが粘着剤により貼り付けられ、電波遮蔽用壁紙１の１枚の壁紙本体１０と電波シールド層５０が建造物２の部屋２０の室内２１に臨んでいる壁２２の内壁面２２ａに対して貼着されている。
【００５０】
また、建造物２の部屋２０の室内２１の空間の上部を囲む水平な天井２３の下面である内壁面２３ａには、図６に示すように、電波遮蔽用壁紙１の壁紙本体１０の裏側面１０ａに積層した電波シールド層５０の表面５０ａが粘着剤により貼り付けられ、電波遮蔽用壁紙１の１枚の壁紙本体１０と電波シールド層５０が建造物２の部屋２０の室内２１に臨んでいる天井２３の内壁面２３ａに対して貼着されている。
【００５１】
さらに、建造物２の部屋２０の室内２１の空間の底部を囲む水平な床２４の上面である内壁面２４ａには、図６に示すように、電波遮蔽用壁紙１の壁紙本体１０の裏側面１０ａに積層した電波シールド層５０の表面５０ａが粘着剤により貼り付けられ、電波遮蔽用壁紙１の１枚の壁紙本体１０と電波シールド層５０が建造物２の部屋２０の室内２１に臨んでいる床２４の内壁面２４ａに対して貼着されている。
【００５２】
電波遮蔽用壁紙１の壁紙本体１０に付設したアース用端子６は、図６に示すように、アース導線６０を介して大地６１にアース接地されている。
【００５３】
次に、本発明の第３の実施の形態に係わる電波遮蔽用壁紙の作用について説明する。
携帯電話機３を所持した携帯電話機所持者３０は、図６に示すように、建造物２の部屋２０の室外に出ると、通常の携帯電話機３を使用した電波による通信を行うことが可能である。
【００５４】
また、携帯電話機３を所持した携帯電話機所持者３０は、まず、建造物２の部屋２０の壁２２の出入口２５に配設したドア２６を開け、建造物２の部屋２０の壁２２の出入口２５から室内２１へと入り、ドア２６を閉める。
そして、電波遮蔽用壁紙１の結合剤に混合した銅粉，アルミニウム粉等の微粒子の金属粉からなる導電性素材５が建造物２の部屋２０の室内２１にある携帯電話機３と建造物２の部屋２０の室外にある基地局４との間での通信用の電波を遮蔽するので、携帯電話機３を使用した電波による通信が行えない状態となり、携帯電話機３の着信音が鳴らないので、あらかじめ携帯電話機３の電源を切ったり、或いは携帯電話機３をマナーモードに設定したりする必要もなく、携帯電話機３の周辺にいる人に迷惑をかけることもない。
【００５５】
さらに、図６に示すように、電波遮蔽用壁紙１の結合剤に混合した銅粉，アルミニウム粉等の微粒子の金属粉からなる導電性素材５がアース用端子６，アース導線６０を介して大地６１に接続されるので、電波遮蔽用壁紙１の導電性素材５と大地６１とを同電位に保ち、建造物２の部屋２０の室内２１を囲む壁２２，天井２３，床２４から入射した電波は電波遮蔽用壁紙１の導電性素材５からアース用端子６，アース導線６０を通って大地６１へと流れ、電波が建造物２の部屋２０の室内２１にある携帯電話機３に侵入するのを確実に防止することができる。
【００５６】
図７は本発明の第４の実施の形態に係わる電波遮蔽用壁紙の構成を示す説明図であり、（ａ）は電波遮蔽用壁紙の正面図、（ｂ）は電波遮蔽用壁紙の平面図、（ｃ）は電波遮蔽用壁紙の背面図である。
本発明の電波遮蔽用壁紙１は、図７（ａ），（ｂ）に示すように、通信のための電波を遮蔽する導電性素材５，５をそれぞれ積層した基材をシート状に形成した互いに隣接する２枚の壁紙本体１０，１０を有し、２枚の壁紙本体１０，１０の全域には、図７（ｃ）に示すように、均一に導電性素材５，５がそれぞれ配設されている。
【００５７】
本発明の電波遮蔽用壁紙１は、図７（ａ），（ｂ）に示すように、導電性素材５，５が、２枚の互いに隣接する壁紙本体１０，１０の一面である裏側面１０ａ，１０ａの全域にそれぞれ重合されている。
【００５８】
本発明の電波遮蔽用壁紙１は、図７（ａ）に示すように、１枚の壁紙本体１０が、導電性素材５に接続されたアース用端子６を有している。
【００５９】
電波遮蔽用壁紙１の１枚の壁紙本体１０の一側縁１０ｂと下縁１０ｃとのコーナー部１０ｄには、図７（ａ）に示すように、アース用端子６が付設され、アース用端子６は導電性素材５に接続されている。
【００６０】
電波遮蔽用壁紙１の２枚の互いに隣接する壁紙本体１０，１０の裏側には、図７（ａ），（ｃ）に示すように、導電性素材５，５がそれぞれ配置され、電波遮蔽用壁紙１の壁紙本体１０，１０の裏側面１０ａ，１０ａには、図７（ｂ）に示すように、全域に導電性素材５，５の内側面５ａ，５ａが接着剤によりそれぞれ貼着されている。
【００６１】
電波遮蔽用壁紙１の互いに隣接する導電性素材５の一側縁５２ａと導電性素材５の他側縁５２ｂとの間の継ぎ目５２ｃに相当する部分の外側面には、図７（ａ），（ｂ），（ｃ）に示すように、通信用の電波を遮蔽する導電性テープ７が貼り付けられ、電波遮蔽用壁紙１の２枚の互いに隣接する壁紙本体１０，１０が導電性テープ７により接合され、電波遮蔽用壁紙１の互いに隣接する導電性素材５と導電性素材５とが導電性テープ７を介して接続されている。
【００６２】
電波遮蔽用壁紙１の２枚の互いに隣接する壁紙本体１０，１０は、導電性素材５，５と共に建造物２の部屋２０の室内２１の空間を囲む壁２２，天井２３，床２４の各内壁面にそれぞれ貼り付けられる。
【００６３】
また、電波遮蔽用壁紙１の壁紙本体１０に付設したアース用端子６は、アース導線６０を介して大地６１にアース接地される。
【００６４】
次に、本発明の第４の実施の形態に係わる電波遮蔽用壁紙の作用について説明する。
電波遮蔽用壁紙１の互いに隣接する導電性素材５，５の間の継ぎ目５２ｃに相当する部分を導電性テープ７で覆い、導電性テープ７が電波遮蔽用壁紙１の互いに隣接する導電性素材５，５の間の継ぎ目５２ｃの隙間からの通信用の電波の侵入を確実に遮蔽するので、携帯電話機３を使用した電波による通信が行えない状態となり、携帯電話機３の着信音が鳴らないので、あらかじめ携帯電話機３の電源を切ったり、或いは携帯電話機３をマナーモードに設定したりする必要もなく携帯電話機３の周辺にいる人に迷惑をかけることもない。
さらに、外部からの電波が遮断されるので、室内の各種医療用電気機器や各種電子機器は電磁波による悪影響を及ぼすおそれがない。
【００６５】
さらに、電波遮蔽用壁紙１の導電性素材５，５及び導電性テープ７がアース用端子６，アース導線６０を介して大地６１に接続されるので、電波遮蔽用壁紙１の導電性素材５，５と大地６１とを同電位に保ち、建造物２の部屋２０の室内２１を囲む壁２２，天井２３，床２４から入射した電波は電波遮蔽用壁紙１の導電性素材５，５及び導電性テープ７からアース用端子６，アース導線６０を通って大地６１へと流れ、電波が建造物２の部屋２０の室内２１にある携帯電話機３に侵入するのを確実に防止することができる。
【００６６】
【発明の効果】
以上に述べたように、本発明の電波遮蔽用壁紙によれば、携帯電話機の使用が規制若しくは禁止されている部屋のある建造物において、壁紙本体の全域に均一に配設した導電性素材を建造物の部屋の室内の空間を囲む壁，天井，床の各内壁面に貼り付けるのみで、壁紙本体を導電性素材と共に建造物の部屋の室内の空間を囲む壁，天井，床の各内壁面に対して貼着することができ、壁紙本体が建造物の部屋の室内の空間を囲む壁，天井，床の各内壁面を完全に覆うので、建造物の部屋の室内の空間を囲む壁，天井，床を壁紙本体により補強して保護することができ、壁紙本体及び導電性素材を建造物の部屋の室内の空間を囲む壁，天井，床の寸法に応じて裁断するのみで、壁紙本体及び導電性素材の建造物の部屋の室内の空間を囲む壁，天井，床の寸法に合わせた加工を容易に行うことができ、導電性素材が建造物の部屋の室内にある携帯電話機と建造物の部屋の室外にある基地局との間での通信用の電波を遮蔽する。その結果、建造物の部屋を電波シールドルームとすることができ、建造物の部屋の室内では携帯電話機の着信音が鳴らないので、従来のようにあらかじめ携帯電話機の電源を切ったり、或いは携帯電話機をマナーモードに設定したりする手間を省くことができ、携帯電話機の周辺にいる人に迷惑をかけることもない。
また、外部からの電波の浸入がなくなり各種医療用電気機器や各種電子機器は電磁波による悪影響を及ぼすおそれがない。
【００６７】
本発明の電波遮蔽用壁紙によれば、導電性素材が銅ネット，アルミニウムネット等の金属ネット、銅箔，アルミニウム箔等の極薄の金属箔、銅粉，アルミニウム粉等の微粒子の金属粉であるので、導電性素材を使用される場所，耐久性，価格等に応じて適宜選択することができる。
【００６８】
本発明の電波遮蔽用壁紙によれば、導電性素材が１枚の壁紙本体の一面の全域に重合されているので、例えば、銅ネット，アルミニウムネット等の金属ネットからなる強度の高い導電性素材である場合に、１枚の壁紙本体が導電性素材の片面の全域を覆うので、導電性素材の破損を壁紙本体により確実に防止することができ、導電性素材が壁紙本体を補強するので、壁紙本体が破れたりするおそれが少ない。
【００６９】
本発明の電波遮蔽用壁紙によれば、導電性素材が２枚の壁紙本体の間の全域に挟み込まれて重合されているので、例えば、銅箔，アルミニウム箔等の極薄の金属箔からなる強度の低い導電性素材である場合に、２枚の壁紙本体が導電性素材の両面の全域を覆うので、導電性素材を２枚の壁紙本体により保護することができ、２枚の壁紙本体が導電性素材を補強するので、導電性素材の強度を十分に保つことができ、導電性素材が破れたり破損するおそれが少なく、電波遮蔽用壁紙全体の厚さを小さくすることができ、導電性素材が外部に露出しないので、電波遮蔽用壁紙全体の外観を向上させることができる。
【００７０】
本発明の電波遮蔽用壁紙によれば、導電性素材が１枚の壁紙本体の一面の全域に結合剤と共に均一に吹き付けられてコーティングされているので、例えば、銅粉，アルミニウム粉等の微粒子の金属粉からなる導電性素材を結合剤と共に吹き付けて積層した電波シールド層を壁紙本体の一面に対して形成することができ、壁紙本体が電波シールド層を覆っているので、電波シールド層を壁紙本体で覆って保護することができ、導電性素材が結合剤と共に壁紙本体の一面に付着しているので、電波シールド層が壁紙本体の一面より剥がれ落ちるおそれがなく、導電性素材を結合剤と共に壁紙本体の一面に吹き付けるのみで、電波遮蔽用壁紙の製造を容易に行うことができる。
【００７１】
本発明の電波遮蔽用壁紙によれば、携帯電話機の使用が規制若しくは禁止されている部屋のある建造物において、壁紙本体が導電性素材に接続されたアース用端子を有しているので、建造物の部屋の室内の空間を囲む壁，天井，床の各内壁面に貼り付けた壁紙本体のアース用端子を大地にアース接地させることができ、導電性素材がアース用端子を介して大地に接続されるので、導電性素材と大地とを同電位に保ち、電波が導電性素材からアース用端子を通って大地に流れるので、電波の建造物の部屋の室内にある携帯電話機への侵入をアース用端子により確実に防止することができる。
【図面の簡単な説明】
【図１】本発明の第１の実施の形態に係わる電波遮蔽用壁紙の構成を示す説明図。
【図２】本発明の第１の実施の形態に係わる電波遮蔽用壁紙の建造物の部屋の室内を囲む壁，天井，床の各内壁面への貼り付け状態を示す説明図。
【図３】本発明の第２の実施の形態に係わる電波遮蔽用壁紙の構成を示す説明図。
【図４】本発明の第２の実施の形態に係わる電波遮蔽用壁紙の建造物の部屋の室内を囲む壁，天井，床の各内壁面への貼り付け状態を示す説明図。
【図５】本発明の第３の実施の形態に係わる電波遮蔽用壁紙の構成を示す説明図。
【図６】本発明の第３の実施の形態に係わる電波遮蔽用壁紙の建造物の部屋の室内を囲む壁，天井，床の各内壁面への貼り付け状態を示す説明図。
【図７】本発明の第４の実施の形態に係わる電波遮蔽用壁紙の構成を示す説明図。
【符号の説明】
１　電波遮蔽用壁紙
２　建造物
３　携帯電話機
４　基地局
５　導電性素材
５ａ　内側面
５ｂ　外側面
６　アース用端子
７　導電性テープ
１０　壁紙本体
１０ａ　裏側面（一面）
１０ｂ　一側縁
１０ｃ　下縁
１０ｄ　コーナー部
２０　部屋（電波シールドルーム）
２１　室内
２２　壁
２２ａ　内壁面
２３　天井
２３ａ　内壁面
２４　床
２４ａ　内壁面
２５　出入口
２６　ドア
３０　携帯電話機所持者
５０　電波シールド層
５０ａ　表面
５２ａ　一側縁
５２ｂ　他側縁
５２ｃ　継ぎ目
６０　アース導線
６１　大地
【図１】
2004011367.tif 000003
【図２】
2004011367.tif 000004
【図３】
2004011367.tif 000005
【図４】
2004011367.tif 000006
【図５】
2004011367.tif 000007
【図６】
2004011367.tif 000008
【図７】
2004011367.tif 000009